(57)【要約】【課題】遊技盤の脱着交換作業を容易にする。【解決手段】パチンコ遊技機１は、脱着交換式の遊技盤６を有しており、この遊技盤６は基枠４に対して脱着可能となっている。基枠４の内側には遊技盤支持部材２６が取り付けられており、遊技盤６はその左側縁部が遊技盤支持部材２６に嵌め込まれた状態で保持されている。この状態でロック部材３０，３２等の固定手段を解除し、凹部４２を用いて遊技盤６を手前に引けば、遊技盤支持部材２６とともに遊技盤６が手前に回動して基枠４から外れるので、その脱着交換作業を容易に行うことができる。【選択図】    図１
2004208803.tif 000002
【特許請求の範囲】
【請求項１】
遊技機本体に脱着可能に設けられる遊技盤と、
前記遊技盤の四隅のいずれかの位置に形成され、手指を挿入可能な凹部と
を具備したことを特徴とする遊技機。
【発明の詳細な説明】
【０００１】
【発明の属する技術分野】
本発明は、遊技球を用いて遊技を実施する遊技機に係り、特に遊技機本体に遊技盤を脱着可能に取り付けることができる遊技盤交換式の遊技機に関する。
【０００２】
【従来の技術】
この種の遊技機に関する従来の技術として、公知文献に記載された遊技盤着脱交換式のパチンコ遊技機が挙げられる（例えば、特許文献１参照。）。この公知のパチンコ遊技機では、遊技機本体内部の保持枠に対して遊技盤が前面側から着脱交換可能にセット保持されており、その保持枠には遊技盤を縦向き状態で載せ受けられる受け部が設けられる一方、遊技盤には着脱方向側の所要部位に適宜取っ手が設けられるものとなっている。
【０００３】
上述した公知のパチンコ遊技機によれば、遊技盤を交換する際に作業者が適宜その取っ手を利用し、そして一旦、遊技盤を受け部に載せてから、保持枠に対して遊技盤を着脱、つまり、その出し入れを行うことができる。このため、遊技盤の取り付け・取り外しに際して、作業者は受け部に遊技盤を載せるまでの持ち上げ労力を費やすか、あるいは、受け部から遊技盤を降ろすまでの持ち出し労力を費やすだけでよい。
【０００４】
【特許文献１】
特開平９−２６２３５２号公報（第１−２頁、図１、図５）
【０００５】
【発明が解決しようとする課題】
上述のように保持枠に対して遊技盤を出し入れする際は、一旦、受け部に遊技盤を載せておくことで重量の負担を減らすることができ、また遊技盤の出し入れやその持ち上げ・持ち出しの際は、適宜取っ手を利用することでそれぞれの作業を手早く行うことができると考えられる。
【０００６】
しかしながら、公知のパチンコ遊技機では遊技盤の着脱作業の簡易化に拘泥するあまり、保持枠から取り外した後の遊技盤を別の場所へ持ち去ったり、新たに取り付ける遊技盤を別の場所から持ち運んできたりする際の運搬作業について何ら有効な手当がなされていない。すなわち、上述のように遊技盤には適宜取っ手が設けられているとはいえ、この取っ手はあくまで遊技盤の着脱作業を手早くする目的で補助的に設けられているに過ぎず、遊技盤の運搬作業のための取っ手としてはあまり実用的でない。
【０００７】
一方、着脱交換式の遊技盤は、単にその着脱作業が手早くできればよいという性質のものではなく、これに付随して必ず遊技盤の持ち運びを伴うものであることから、遊技盤の運搬作業に対する明確な手当がなされていないことは技術的手段として不完全であるといっても過言でない。
【０００８】
そこで本発明は、遊技盤の着脱作業のみならず、その運搬作業をも安全に行うことができる遊技機の提供を課題としたものである。
【０００９】
【課題を解決するための手段】
上記の課題を解決するため本発明の遊技機は、遊技盤の四隅のいずれかの位置に手指を挿入可能な凹部が形成されており、この凹部は遊技盤の把持を可能とする取っ手として利用される（解決手段１）。なお、取っ手となる凹部は遊技盤の四隅の１箇所だけに設けられていてもよいし、複数箇所に設けられていてもよい。
【００１０】
上述のように遊技盤の四隅の位置に取っ手となる凹部があれば、遊技領域によるスペース上の制約を受けることなく、充分な大きさの取っ手となる凹部を形成することができる。このため、作業者が取っ手となる凹部を確実に把持することができ、遊技盤の持ち運びや脱着作業の際にその姿勢を確実に安定させることができる。
【００１１】
また、取っ手となる凹部が遊技盤の四隅の位置にあれば、案内レール等から離れた位置で遊技盤を把持することができるし、また取っ手となる凹部が四隅のいずれかの位置にあれば、遊技盤をその対角線上で把持する形態をとることができるため、遊技盤の姿勢が安定する。したがって、遊技盤を持ち運ぶ際に取っ手となる凹部を把持する位置がずれたり、作業者の手指が案内レールに触れたりすることがなく、安全に遊技盤を持ち運ぶことができるし、また遊技盤の取り付け・取り外し作業を容易に行うことができる。
【００１２】
より具体的な構成として、本発明の遊技機は遊技機本体に脱着可能に設けられ、遊技者に相対する前面に遊技領域を有した遊技盤と、遊技盤の前面に設けられ、遊技領域外となる四隅のいずれかの位置で遊技盤の把持を可能とする取っ手とを備えている（解決手段２）。
【００１３】
遊技盤の前面であって、その遊技領域外となる四隅の位置であれば、遊技領域を阻害することなく取っ手を設けることができる。また、取っ手が遊技盤の四隅の位置にあって、しかもその前面に設けられていれば、持ち運びの際に遊技盤の姿勢が安定するうえ、作業者が取っ手を把持したときに遊技盤の前面が作業者の外側を向いた状態となる。すなわち、作業者は順手の持ち方、つまり、手の甲が遊技盤の前面と同じ向きになる態様で取っ手を把持することから、持ち運びの際は自然と遊技盤の前面が作業者からみて外側に位置することとなる。このため、遊技盤の背面に設けられている各種の制御基板類が作業者の外側に露出せず、持ち運びの際に制御基板類を周囲にぶつけて破損させるおそれがなくなる。
【００１４】
この点、遊技盤のなかでも特に制御基板は高価な部品であることから、破損した場合にはその交換費用が高くなるし、また制御基板の交換には当局への届け出が必要となるため、遊技領域の構成部品に比べて交換しにくいという事情がある。このような事情から、本発明では取っ手の位置を遊技盤の前面とすることで制御基板類の破損のおそれを極力少なくすることが可能となる。
【００１５】
上述した取っ手は、遊技盤の前面からみて右上隅の位置に設けられていることが好ましい（解決手段３）。例えば、遊技盤を横方向にスライドさせて遊技機本体（基枠等）に取り付ける場合、その前面からみて右上隅の位置に取っ手があれば、遊技盤の左側縁部を先頭にして遊技機本体に取り付ける態様に好適するため、この態様での遊技盤の取り付け作業がきわめて容易となる。逆に遊技盤を取り外すときは、その右側縁部を先頭にして遊技機本体から引き出すこととなるため、取っ手が右上隅の位置にあれば取り外し作業も容易である。
【００１６】
また、取っ手が遊技盤の右上隅の位置にあることから、例えば取り付け時に取っ手を把持して遊技機本体まで遊技盤を運搬した後、その取っ手を把持したままの状態で、次に遊技盤をスライド方式により取り付ける作業にスムーズに移行することができる。また取り外し時は、取っ手を把持して遊技機本体から遊技盤を引き出した後、その取っ手を把持したままの状態で次に遊技盤の持ち運び作業にスムーズに移行することができるので、遊技盤を交換する際の作業効率を大幅に向上することができる。
【００１７】
なお、上述した態様（解決手段３）において、取っ手は遊技盤の前面からみて左上隅の位置に設けられていてもよい。この場合、遊技盤のスライド方向が上記と逆である場合に好適である。
【００１８】
より好ましくは、遊技盤はその前面のうち遊技領域外に取り付けられる付属部材を含んでおり、この付属部材と一体に取っ手が形成されている（解決手段４）。この場合、遊技盤に付属部材が取り付けられることが予定されていれば、この付属部材に予め取っ手を形成しておくだけでよいことから、あらためて遊技盤の組付工程に手を加える必要がない。このため例えば、遊技盤に取っ手を後付けしたり、遊技板に取っ手を形成したりする手間を別途加える必要がなく、製造コストや工程が無用に増大するのを防止できる。
【００１９】
さらに本発明の実用的な態様として、上述した取っ手は遊技盤の前面側に開口し、この開口を通じて手指を挿入可能な溝形状の凹部からなり、この凹部が遊技盤の各四隅とその中心部とを結ぶ線に対して直交する方向に延びている（解決手段５）。この場合、開口を通じて凹部に手指（例えば、母指以外の指）を挿入すると、その牽引力の延長線上に遊技盤の中心部が自然に位置することとなるため、作業者が特にバランスを気にしなくても、遊技盤の持ち運びをより安定かつ安全に行うことができる。
【００２０】
【発明の実施の形態】
本発明は例えば、遊技球を用いてパチンコ遊技やアレンジボール遊技を提供するパチンコ遊技機として好適な実施形態をとることができる。
【００２１】
図１は、一実施形態のパチンコ遊技機１を示している。このパチンコ遊技機１は矩形に組まれた外枠２をベースとして構成されており、この外枠２の内側に基枠４が取り付けられている。基枠４には遊技盤６が脱着交換可能に取り付けられており、この遊技盤６の盤面構成によりパチンコ遊技機１の機種が特徴付けられている。なお、遊技盤６の脱着交換についてはさらに後述する。
【００２２】
遊技盤６は、その前面からみてほぼ矩形となる外形を有しており、その中央にはほぼ円形の遊技領域８が形成されている。公知のように、遊技領域８はその周りを案内レール１０に囲まれ、その中央の位置にセンター役物１２が設けられている。なおパチンコ遊技機１の機種によっては、遊技領域８の中央の位置に液晶表示装置が設けられることもある。
【００２３】
その他、遊技領域８内には通常、障害釘や風車、入賞口等の盤面構成要素が配置されているが、これらについては公知のものを適用可能であるため、本実施形態では図示とともにその説明を省略している。
【００２４】
また外枠２には、基枠４のさらに前側に前面枠１４が取り付けられている。この前面枠１４は図示しない発光装飾装置のほか、その下部に発射ハンドル１６や下皿１８等を有している。また、前面枠１４にはガラス枠２０がヒンジを介して取り付けられており、図示のように、ガラス枠２０はパチンコ機１の前面にて横方向に開閉可能となっている。
【００２５】
図１にはガラス枠２０が開いた状態で示されており、それゆえガラス枠２０の背面が露出して示されている。ガラス枠２０はその中央にガラス面２２を有しており、ガラス枠２０を閉じた状態ではガラス面２２内に遊技領域８が覆われ、遊技領域８の外となる遊技盤６の四隅はガラス枠２０により覆い隠されるものとなっている。このため遊技盤６は、その前面の遊技領域８がガラス面２２を通して遊技者に視認可能であり、その外側（周囲）にある四隅は遊技者から視認されないか、あるいはその注意をほとんど引かないものとなる。
【００２６】
またガラス枠２０の背面には、ガラス面２２の下方に発射レール２４が配置されており、ガラス枠２０を閉じた状態で、発射レール２４は遊技盤６の案内レール１０に連なる。なお図１では隠れているが、ガラス枠２０の正面側にはガラス面２２の下方に上皿が配置されている。
【００２７】
図２は、基枠４への遊技盤６の取り付け状態を具体的に示しており、この図２では前面枠４とともにガラス枠２０が省略されている。基枠４には遊技盤支持部材２６が取り付けられており、この遊技盤支持部材２６は基枠４の一側縁部（この例では左側縁部）に配置されている。遊技盤支持部材２６は基枠４の左側縁部に沿って上下方向に延び、その上下端はいずれもヒンジピン２８を介して基枠４に連結されている。これらヒンジピン２８は遊技盤支持部材２６の上下端からそれぞれ突出し、基枠４に対して遊技盤支持部材２６を水平方向に回動可能としている。
【００２８】
なお、遊技盤支持部材２６はその長手方向（この例では上下方向）でみて溝形状の断面を有し、その内側に遊技盤６の一側縁部（この例では左側縁部）を受け入れ可能となっている。また遊技盤支持部材２６は、その上下端に支持プレート２６ａ，２６ｂを有しており、これら支持プレート２６ａ，２６ｂ間に遊技盤６を挟み込んで遊技盤６を支持し、その重量を受け持ったまま基枠４に対して回動することができる。
【００２９】
基枠４はその内側に開口４ａを有しており、この開口４ａは遊技盤６の外形に合わせた形状をなしている。このため図２に示されるように、遊技盤６は開口４ａにぴったり嵌り込んだ状態で基枠４に取り付けられている。また基枠４には、開口４ａの下縁部に２つのロック部材３０，３２が設けられている。これらロック部材３０，３２は基枠４の幅方向に間隔をおいて配置され、いずれも基枠４に対して垂直面内にて回動自在に支持されている。
【００３０】
このうち一方（この例では左方）のロック部材３０は、例えば２本羽根のプロペラ形状をなし、図示のように縦長となる姿勢で遊技盤６を係止することができる。より詳しくは、遊技盤６の下端部に係止部３４が設けられており、この係止部３４は遊技盤６から手前側に突出して形成されている。一方、図１に示されるように、ロック部材３０の両端にはそれぞれ係止部３４に対応したかぎ爪３０ａが形成されており、ロック部材３０はそのかぎ爪３０ａを係止部３４の上端に引っ掛けることで遊技盤６を係止することができる。なお、もう一方のロック部材３２も同様に図示の位置で遊技盤６を係止しているが、ここではその具体的な説明を省略する。
【００３１】
また、開口４ａの上縁部にも別のロック部材３３が設けられており、このロック部材３３もまた、図２に示されるように基枠４に対して垂直面内で回動自在に支持されている。図２中に実線で示されるように、ロック部材３３は下方へ回動された状態で遊技盤６が前面側へ抜け出るのを防止、つまりロックし、２点鎖線で示されるように上方へ回動された状態ではそのロックが解除されるものとなっている。なお、ロック部材３３は図２にのみ示されており、その他の図には示されていない。
【００３２】
図３は、遊技盤６を単独で示している。遊技盤６はその前面の中央に遊技領域８を有しており、上述のように基枠４に取り付けられたときは、この前面にて遊技者に相対する。また遊技領域８の外となる四隅のうち、その左隅は上下とも表面が平坦に仕上げられており、これにより、上述した遊技盤支持部材２６に対する差し込みとその抜き出し作業を容易に行うことができるものとなっている。
【００３３】
これに対し、遊技盤６の右隅は上下とも平坦でなく、その全部または一部が遊技盤６の付属物に覆われている。すなわち、遊技盤６前面の右側縁部には装飾部材（いわゆるパネル飾り、コーナー飾り）４０が取り付けられており、この装飾部材４０は例えば、遊技領域８の外側を装飾するために付属されている。
【００３４】
装飾部材４０はその前面からみて右部分が遊技盤６の右側縁に沿うようにして形成されている。一方、左部分はその中央が遊技領域８の外形に合わせて円弧形状に形成されており、この左部分にて遊技領域８の左半周分が区画されている。また、装飾部材４０の上端は遊技盤６の上縁に沿うように形成されており、下端は遊技盤６の下縁と平行に形成されている。
【００３５】
図示のように遊技盤６の右上隅は装飾部材４０に覆われ、この右上隅の位置には装飾部材４０と一体にして取っ手４２が形成されている。なお、遊技盤６の右上隅から少し中央よりの位置には装飾部材４０に窪み４４が形成されており、この窪み４４は装飾部材４０の上端縁を底辺とする逆三角形状をなしている。図２に示されるように窪み４４には上述のロック部材３３が嵌り込み、遊技盤６をロックするものとなっている。
【００３６】
図４は、取っ手４２を含む装飾部材４０の構造を具体的に示している。図４の断面から明らかなように、装飾部材４０は全体が中実構造であって比較的厚肉を有している。そして装飾部材４０には遊技盤６の右上隅の位置に溝形状の凹部４２ａが形成されており、この凹部４２ａから上述の取っ手４２が構成されている。
【００３７】
より詳しくは、凹部４２ａは遊技盤６の前面に向けて開口しており、この開口を通じて凹部４２ａ内に作業者がその手指を挿入することができる。また凹部４２ａは前面の開口から装飾部材４０の厚み方向に凹み、さらに装飾部材４０の内部で右斜め上方に屈曲するようにして形成されている。このため作業者は、図示のように凹部４２ａ内で手指を折り曲げ、その指先を右斜め上方（遊技盤６の右上隅）に向けた状態にすることができる。なお本実施形態では、凹部４２ａが装飾部材４０を貫通して形成されているが、その貫通した先は遊技板６ａで塞がれている。
【００３８】
また装飾部材４０には、凹部４２ａが右斜め上方へ屈曲している部分よりも前面側に薄肉部４２ｂが残されており、図示のように作業者はこの薄肉部４２ｂに手指を引っ掛けた状態で、取っ手４２をしっかりと把持することができる。なお、図４でみて薄肉部４２ｂの下端縁は曲面状に面取りされており、これにより作業者の手指に対する当（あたり）が和らげられている。
【００３９】
また図４に示されるように、遊技盤６の背面には各種の制御基板類４６が取り付けられており、これら制御基板類４６には、遊技盤６により実施される遊技の進行を制御するための電子部品（例えばＣＰＵやＲＯＭ、ＲＡＭ、カウンタ、インタフェース等）が実装されている。
【００４０】
ここで、図３に示されるように、例えば遊技盤６のほぼ真ん中の位置に中心部Ｇ（正確な中心または重心でなくてもよい）を規定したとすると、この中心部Ｇと右上隅とを結ぶ線Ｌ１を仮想的に規定することができる。そして、実際の凹部４２ａは遊技盤６の右上隅を斜めに削ぐ方向に長細く形成されていることから、凹部４２ａはこの仮想される線Ｌ１に対して直交する方向に延びる関係にある。
【００４１】
このため例えば、作業者が凹部４２ａに母指以外の２〜４本の指を並べて挿入すると、その牽引力の作用線が上述の仮想される線Ｌ１にほぼ合致し、自然な形で遊技盤６の中心部Ｇを引っ張る態様となる。
【００４２】
図５は、遊技盤６の持ち運び作業の一例を示している。上述のように作業者Ｈはその片方（この例では左）の手指を凹部４２ａに挿入し、取っ手４２をしっかりと把持した状態で遊技盤６を持ち運ぶことができる。この場合、作業者Ｈはその牽引力Ｆｐを真上に向けて作用させているので、上述の仮想線Ｌ１が鉛直方向に沿う格好となり、自然と遊技盤６の中心部Ｇが取っ手４２のほぼ真下に位置することとなる。以上は作業者Ｈが右手で取っ手４２を把持する場合も同様であることはいうまでもない。
【００４３】
このように遊技盤６の四隅（この例では右上隅）の位置で取っ手４２を把持する態様であれば、その持ち運びの際に取っ手４２の真下に遊技盤６の中心部Ｇが自然に位置するため、遊技盤６が対角線（図５中のＬ１，Ｌ３）を中心としておおよそ対称となる姿勢に落ち着く。したがって、遊技盤６の持ち運びの際にその姿勢を良好に安定させることができる。
【００４４】
これに対し、遊技盤６の頂辺中央の位置（例えば案内レール１０）を把持する態様の場合、その中央を正確に把持している間は一時的に中心部Ｇが把持位置の真下にあると考えられるものの、その把持位置が少しでも中央から幅方向にずれると、牽引力の方向が中心部Ｇの位置からずれるため、このときの偶力によって遊技盤６が回転し、その姿勢をきわめて不安定化させてしまう。
【００４５】
なお、このように姿勢が不安定化する現象は遊技盤６に対する把持位置に起因するものであり、取っ手の具体的な形状とは無関係に起きると考えられる。したがって、仮に遊技盤６の背面の頂辺に取っ手を設けていたとしても、把持位置が正確に中央になければ同様に姿勢が不安定化する。
【００４６】
この点、本実施形態では遊技盤６の四隅（右上隅）の位置に取っ手４２があるからこそ、上述のように遊技盤６の姿勢を合理的に安定させることができるといえる。さらに本発明の発明者等は、遊技盤６の四隅の位置に取っ手４２を設けることについてより好ましい態様を追求した結果、上述のように取っ手４２を凹部４２ａから構成することで、作業者Ｈによる牽引力の方向を自然な形で中心部Ｇの真上に位置させることに成功している。このため、作業者Ｈは遊技盤６のバランスについて過度な注意力や熟練を要求されることなく、きわめて容易に遊技盤６の持ち運び作業を行うことが可能となる。
【００４７】
なお、本実施形態では遊技盤６の右上隅の位置に取っ手４２が形成されているが、取っ手４２が四隅の位置に設けられている場合は、その把持した位置に応じて牽引力と各仮想線Ｌ１〜Ｌ４との相対的な位置関係が決まることは特に説明するまでもなく自明である。
【００４８】
さらに取っ手４２が装飾部材４０と一体に形成されているから、遊技盤６にその付属部材としての装飾部材４０を取り付けるだけで取っ手４２が確保される。このため別途、遊技盤６に取っ手を後付けしたり、遊技板６ａに取っ手を形成したりする必要がないので、遊技盤６の製造工程が複雑化することはない。
【００４９】
また図５から明らかなように、取っ手４２が遊技盤６の前面に設けられていることから、作業者Ｈが順手の持ち方で取っ手４２を把持することにより、遊技盤６の前面が自然に作業者Ｈからみて外側に位置することとなる。このため、遊技盤６の持ち運びの際に制御基板類４６が作業者Ｈの外側に露出することがなく、制御基板類４６と周囲との接触が回避される。
【００５０】
次に図６は、遊技盤６の脱着作業の一例を示している。本実施形態では基枠４に遊技盤支持部材２６が設けられており、遊技盤支持部材２６に対して遊技盤６をスライド方式で取り付けることができる。
【００５１】
図６には遊技盤６が基枠４の前面に対してほぼ平行となる状態で示されているが、実際の取り付けは遊技盤６を基枠４の前面に対して角度を付けた状態で行う。すなわち、図６では遊技盤支持部材２６が基枠４の内側に嵌り込んでいるが、この状態から遊技盤支持部材２６を手前に回動させると（矢印Ａ）、上述した支持プレート２６ａ，２６ｂが基枠４から引き出される。
【００５２】
上述のように遊技盤支持部材２６を手前に回動させた状態で、例えば矢印Ｂの方向に遊技盤６を移動させ、その左側縁を遊技盤支持部材２６に対してまっすぐに向き合わせる。このとき遊技盤支持部材２６の回動角度に合わせて、遊技盤６は基枠４の前面に対して角度がついた状態となる。
【００５３】
なお、図６では作図上の都合から遊技盤６が基枠４の前面と平行に位置づけられているに過ぎず、はじめから遊技盤支持部材２６の回動角度に合わせて遊技盤６に角度を付けておいてもよい。
【００５４】
次に遊技盤６を横方向（この例では左方向）にスライドさせ、その左側縁部を遊技盤支持部材２６に嵌め込ませる。本実施形態の場合、図２に示されるように遊技盤支持部材２６の上部前面に表示窓２６ｃが形成されており、このとき遊技盤６の嵌め込み具合が良好であれば、この表示窓２６ｃ内に例えば「ＯＫ」の文字表示を確認することができるものとなっている。なお文字表示は、遊技盤６の左上のコーナー部に予め付されている。
【００５５】
遊技盤支持部材２６に遊技盤６を確実に嵌め込むと、その重量が遊技盤支持部材２６に支持された状態となる。そして、遊技盤支持部材２６に重量を預けたまま遊技盤６を基枠４に向けて押し込むと、その開口４ａ内に遊技盤６がすっぽり嵌り込み、このとき矢印Ａで示されるように遊技盤６は奥へ回動する。
【００５６】
この後、ロック部材３０，３２，３３等を用いて遊技盤６を基枠４に係止すると、その取り付け作業が完了する。また遊技盤６の取り付け後にガラス枠２０が閉じられると、取っ手４２は遊技者から視認されなくなる。
【００５７】
以上の取り付け作業において、作業者Ｈは取っ手４２を把持した状態で良好にその作業を行うことができる。すなわち、取っ手４２を把持して遊技盤６を持ち運んできた後、その取っ手４２を把持したままの状態で、遊技盤６を遊技盤支持部材２６に嵌め込むことができる。このため、遊技盤６の持ち運び作業からその取り付け作業にスムーズに移行することができるし、また改めて取っ手４２を持ち替える必要がないことから、取り付け作業を効率よく行うことができる。
【００５８】
遊技盤６の取り外し作業は、これまでと逆の手順をたどることとなる。先ず、作業者Ｈはガラス枠４を開いた状態でロック部材３０，３２，３３等の固定手段を解除し、遊技盤６の前面から凹部４２ａに手指を挿入する。そして、取っ手４２を把持しながら遊技盤６を手前に引くと、遊技盤支持部材２６に支持されたままの状態で遊技盤６を基枠４から抜き出すことができる。なお、このとき遊技盤６は矢印Ａで示されるように手前側へ回動する。
【００５９】
この状態で、作業者Ｈが取っ手４２を把持したままこれを横方向（この例では右方向）に引っぱると、遊技盤６をスライドさせて遊技盤支持部材２６から抜き取ることができる。そして遊技盤６が外れた後は、作業者Ｈは取っ手４２を把持したまま遊技盤６を容易に持ち運ぶことができる。
【００６０】
上述のように、左右方向へのスライド方式で遊技盤６を脱着する場合にあっては、右上隅にある取っ手４２を有効に活用しながら効率よく作業を行うことができる。特に本実施形態では、遊技盤支持部材２６に支持される左側縁部とは反対側の右上隅の位置に取っ手４２が設けられているため、その脱着作業がしやすくなる。
【００６１】
なお、遊技盤６は上述した左右方向へのスライド方式だけでなく、上下方向へのスライド方式により脱着することもできる。この場合であっても、遊技盤６の右上隅の位置に取っ手４２を設けることで、作業者Ｈが取っ手４２を把持しながら遊技盤６を上下方向に抜き差しする作業を容易に行うことができる。
【００６２】
また、遊技盤６の右上隅の位置に取っ手４２が設けられていれば、脱着方向が異なる複数のスライド方式（例えば、左右スライド方式と上下スライド方式）にも対応することができるので、機種の異なるパチンコ遊技機１であっても同じ遊技盤６を使用することができる。
【００６３】
さらに、遊技盤６の右上隅の位置に取っ手４２が設けられていれば、遊技盤６を左右にスライドさせて脱着するときであっても、上下にスライドさせて脱着するときであっても、いずれの場合にも取っ手４２が脱着作業の際に有効な把持位置となるため、取っ手４２を広範囲な用途に有効に活用することができる。
【００６４】
なお、以上の説明では前面からみて右側に遊技盤支持部材２６が設けられている場合を挙げているが、これが左側に設けられている場合は左右の勝手を反対にして考えればよい。
【００６５】
本発明は上述した一実施形態に制約されることなく、その他の形態においても好適に実施することが可能である。例えば、取っ手４２は右上隅だけでなく、右下隅の位置に設けられていてもよい。この場合、作業者Ｈは両手で上下の取っ手４２を１箇所ずつ把持できるので、より作業性が向上する。
【００６６】
また、特に遊技盤支持部材２６を用いていない態様にあっては、左右の両上隅にそれぞれ取っ手４２を設けることもできるし、あるいは、遊技盤支持部材２６の有無に係わらず、四隅の全てに取っ手（具体的な形態を問わない）を設けることもできる。
【００６７】
上述した実施形態では、装飾部材４０に取っ手４２が形成されているが、装飾以外の用途で取り付けられる別の付属部材に取っ手４２を形成することもできる。また取っ手４２の具体的な構造は図４に示されるものに限らず、例えば遊技盤６の前面に突出している構造であってもよいし、あるいは可動部材を用いて遊技盤６にから突き出たり、逆に没入したりできる突没機構を有するものであってもよい。
【００６８】
その他、一実施形態として挙げた遊技盤６やその装飾部材４０、取っ手４２等の具体的な形状や構造はいずれも好ましい例示であり、特にこれらに制約されることはない。また、パチンコ遊技機１を構成する各種の要素はあくまで一例であり、これらは本発明を適用するべき遊技機の態様に応じて適宜変更可能であることはいうまでもない。
【００６９】
【発明の効果】
本発明の遊技機は、脱着交換式の遊技盤を安定した姿勢で安全・確実に持ち運ぶことができ、交換作業の効率や安全性を大幅に向上する。また、遊技盤の遊技領域を阻害することがなく良好な球運びを維持できるため、遊技盤の品質向上に大きく寄与する。
【図面の簡単な説明】
【図１】パチンコ遊技機の斜視図である。
【図２】遊技盤および基枠の正面図である。
【図３】遊技盤を単独で示した正面図である。
【図４】図３中、ＩＶ−ＩＶ線に沿う断面図である。
【図５】遊技盤の持ち運び作業の例を示した図である。
【図６】遊技盤の脱着作業を説明するための斜視図である。
【符号の説明】
１    パチンコ遊技機
４    基枠（遊技機本体）
６    遊技盤
８    遊技領域
４０    装飾部材（付属部材）
４２    取っ手
４２ａ  凹部
【図１】
2004208803.tif 000003
【図２】
2004208803.tif 000004
【図３】
2004208803.tif 000005
【図４】
2004208803.tif 000006
【図５】
2004208803.tif 000007
【図６】
2004208803.tif 000008